(57)【要約】【課題】本発明の腐泥土改善化多孔質ブロック、およびその敷設工法は、作業効率良く、小規模の工事にて施工が効率良く行え、固定も容易かつ確実に行え、以て腐泥土の改善が充分かつ確実に行え、維持管理も何等の交換作業を必要とせずに、製作コスト、工事費は少なく、経済的に有利になす。【解決手段】コンクリート、セラミック等の多孔質の素材よりなるブロック主体１は、曲面部２が上面に形成され、海底、干潟、沼湖の底に溜まった腐泥土よりなる着底部３の上面、または、上方近傍に設置可能な拡大頭体部４と、着底部内に埋設可能な脚体部５と、で形成され、内部の略中央に流水Ｗが導水されるか、または、排水される１本の主幹通路部６が縦状に貫通され、複数個の分岐通路部７,７′が、主幹通路部の周囲に放射状に連通して設けられた。【選択図】図１
2010163783.tif 000002
【特許請求の範囲】
【請求項１】
コンクリート、セラミック等の多孔質の素材によりブロック主体が形成され、
該ブロック主体は、外形が流水に対する抵抗が少ない曲面部が上面に形成され、海底、干潟、沼湖、河川等の底に溜まった腐泥土よりなる着底部の上面に設置可能になるか、または、該着底部の上方近傍に設置可能な拡大頭体部と、該拡大頭体部の下方に設けられて前記着底部内に埋設可能な筒状をなした脚体部と、で形成され、
前記拡大頭体部には、内部の略中央に流水が往復可能に流通されて前記ブロック主体内に導水されるか、または、前記ブロック主体から排水される１本の主幹通路部が縦状に前記脚体部に貫通して形成され、
前記拡大頭体部、および前記脚体部には、複数個の分岐通路部が、前記主幹通路部の周囲に放射状に前記主幹通路部に連通して設けられた、
ことを特徴とする腐泥土改善化多孔質ブロック。
【請求項２】
前記拡大頭体部は、その外形が略楕円球状に形成されるか、または略半球状に形成されたことを特徴とする請求項１に記載の腐泥土改善化多孔質ブロック。
【請求項３】
前記脚体部が、所望横断面形をなし、且つ所望長さの筒状に形成され、前記脚体部の下端に略半球状、または、縦断面が略円錐形をなす係留拡大部が形成されるか、もしくは、前記脚体部の中間部外周、および下方部外周に略環状をなした係留拡大部が形成されたことを特徴とする請求項１、または、請求項２の何れかに記載の腐泥土改善化多孔質ブロック。
【請求項４】
前記分岐通路部が、前記拡大頭体部においては、外部に露出する一端よりも前記主幹通路部に連通する他端が下り勾配をつけて低部位に設けられ、また、前記脚体部においては、外部に露出する一端よりも前記主幹通路部に連通する他端が上り勾配をつけて高部位に設けられたことを特徴とする請求項１−３の何れかに記載の腐泥土改善化多孔質ブロック。
【請求項５】
コンクリート、セラミック等の多孔質の素材により流水に対する抵抗が少ない曲面部が上面に形成された拡大頭体部の内部に、流水が往復可能に流通されて導水されるか、または排水される１本の主幹通路部が縦状に脚体部を貫通して形成され、前記拡大頭体部、および前記脚体部には、複数個の分岐通路部が、前記主幹通路部の周囲に放射状に該主幹通路部に連通して設けられたブロック主体の前記脚体部を海底、干潟、沼湖、河川等の底に溜まった腐泥土よりなる着底部に埋設し、前記拡大頭体部が前記着底部の上面に設置可能にされるか、または、前記拡大頭体部が該着底部の上方近傍に設置可能に敷設する腐泥土改善化多孔質ブロックの敷設工法において、
高圧水を前記主幹通路部内に注入することによりその高水圧を前記主幹通路部、および前記分岐通路部の埋込み側の外部に噴出することにより前記着底部を掘削して前記ブロック主体を所望位置に敷設することを特徴とする腐泥土改善化多孔質ブロックの敷設工法。
【発明の詳細な説明】
【技術分野】
【０００１】
本発明は腐泥土改善化多孔質ブロック、およびその敷設工法に関し、例えば海底、干潟、沼湖、河川等の底に溜まった腐泥土よりなる着底部にブロック主体の脚体部を埋設し、放置することにより、流水をブロック主体に設けた主幹通路部、および該主幹通路部に連通する分岐通路部に対して流水を導入したり、または排出することで着底部に溜まった腐泥土を浄化し、改善を行うものである。
【背景技術】
【０００２】
昨今、海、河川、沼湖等、自然環境において、自然破壊となる原因として海底、干潟、沼湖、河川等の底に腐泥土（ヘドロ）が溜まることが大きな問題として提起されている。
腐泥土が溜まる原因としては、陸上から例えば海へ流れ込むゴミや有機物が海底等に体積し、また、富栄養化した排水等が海水中でプランクトンの増殖を招くことにより汚濁して海底等に死骸として堆積する。そして、その分解のために、海底等の微生物が増殖しながら、海底近傍の海水や海底表層中の酸素を使い尽くすために、本来浄化機能をもつ海底中の底生成物も除除に減少し、底質中に酸素がなくなる還元状態、すなわち、嫌気的状態が進行する。
【０００３】
そして、海底の底泥の中では、海水中の硫酸イオンを硫化水素に、還元して生きるバクテリア（硫酸還元菌）が増殖して、底土は卵の腐ったような硫化水素の臭いを出してヘドロと化して腐泥となり、ほとんどの底生物を死滅させる。発生する硫化水素は、生物の呼吸には猛毒で化学的反応性が強く化学的なエネルギーをもった物質で、ガス発生域での魚類等も生息できず、死の海と化していた。
【０００４】
ところで、従来、例えば、海、池、河川、湖沼等の底面上に固定され、水質浄化、侵食を防止し、しかも魚礁ブロックとして使用することを目指した自然融合腐泥土改善化コンクリートブロックとして、コンクリートブロック本体に、石灰質原料、珪酸質原料、炭化質原料、磁性硬質原料の混練物をスポンジ等で吸着させて焼成した、重金属吸着塊を着脱可能に装着し、一体化し、前記コンクリートブロック本体の内部には横孔、および縦孔を縦横に貫通して設け、この横孔と縦孔とが交わる付近に流水方向調整板を設けた構成のものがあった。
【０００５】
そして、この自然融合腐泥土改善化コンクリートブロックは、コンクリートブロック本体に装着されて一体化された石灰質原料、珪酸質原料、炭化質原料、磁性硬質原料の混練物をスポンジ等で吸着させて焼成した、重金属吸着塊の吸着性と、コンクリートブロック体の表面に生息する微生物、及び生殖動物の働きと、コンクリートブロック体との多孔質性とにより浸透性、および濾過作用を発揮し、汚濁水の有機物、窒素化合物、溶存リン、油脂類等を吸着濾過し、また、横孔及び縦孔内に水が流入されて調整板に水を衝突させることにより水の撹拌を促し、上昇流を生じさせ、流水へ酸素を取り込んで水中の溶存酸素量を増大させ、ブロック本体の表面、および内部に生息する微生物を活性化することで水質の浄化を行うものであった（例えば特許文献１参照）。
【先行技術文献】
【特許文献】
【０００６】
【特許文献１】特開２００３−１９３４４９号公報
【発明の概要】
【発明が解決しようとする課題】
【０００７】
しかしながら、特許文献１に記載の上記従来の自然融合腐泥土改善化コンクリートブロックは、ブロック本体は、海、池、河川、湖沼等の底面上に固定されるものであるので、海底等に溜まった腐泥土（ヘドロ）を内部にわたって浄化し、活性化することを意図したものではなく、腐泥土（ヘドロ）を改善するのには不十分であった。
【０００８】
また、特許文献１に記載の上記従来の自然融合腐泥土改善化コンクリートブロックは、石灰質原料、珪酸質原料、炭化質原料、磁性硬質原料の混練物をスポンジ等で吸着させて焼成した、重金属吸着塊をコンクリートブロック本体に着脱可能に装着し、一体化をはかることにより、重金属吸着塊の吸着性にて汚濁水の有機物、窒素化合物、溶存リン、油脂類等を吸着濾過させるものなので、重金属吸着塊自体の吸着性が劣った場合には、維持管理面において、重金属吸着塊自体の吸着性を回復させるために、重金属吸着塊自体を新たなものと交換しなければならない必要性を有し、その交換作業にはブロック自体を陸地に再度、引き揚げて撤去後に、重金属吸着塊自体を新たなものと交換しなければならないものであった。このため、交換作業には多大の手間と時間がかかり、しかも、過大に資材、設備がかかるものであった。
【０００９】
また、特許文献１に記載の上記従来の自然融合腐泥土改善化コンクリートブロックは、
ブロック本体の内部に横孔、および縦孔を縦横に貫通して設け、この横孔と縦孔とが交わる付近に流水方向調整板を設けた構成により、ブロック本体の内部に設けられた横孔及び縦孔内に水を流入させて流水方向調整板に水を衝突させることにより、水の撹拌を促し、上昇流を生じさせ、流水へ酸素を取り込んで水中の溶存酸素量を増大させ、ブロック本体の表面、および内部に生息する微生物を活性化することで水質の浄化を行うものであるので、流水方向調整板が必要不可欠の構成部品となすものであった。従って、流水方向調整板をブロック本体内に設置する構造のため、複雑化し、部品点数が多くなり、製作が容易には行えず、製作コストは高価であった。
【００１０】
また、特許文献１に記載の上記従来の自然融合腐泥土改善化コンクリートブロックは、ブロック本体を海等の底面に固定するのに、ブロック本体を重ね積みし、このブロック本体の内部に貫通して設けられた縦孔内に底面に対して杭を打ち込むようにしてブロック本体を固定するので、ブロック本体自体を海等の底面に固定するのには、工事規模が大きくなり、しかも、ブロックの固定作業に多くの時間、労力を必要とし、施工性が低く、部品点数も多くなり、工事費も多大にかかるものであった。
【００１１】
本発明は上記従来の欠点を解決し、作業効率良く、小規模の工事にて施工が効率良く行えるとともに、ブロック本体の固定も海底等の着底部に対して容易かつ確実に行え、以てブロック主体を海底等の着底部に対して設置するだけで腐泥土の改善が充分かつ確実に行え、維持管理も何等の交換作業を必要とせずに、製作コスト、工事費は安価であり、資材も経済的に有利な腐泥土改善化多孔質ブロック、およびその敷設工法を提供することを目的とする。
【課題を解決するための手段】
【００１２】
本発明の請求項１に記載の発明は、コンクリート、セラミック等の多孔質の素材によりブロック主体が形成され、
該ブロック主体は、外形が流水に対する抵抗が少ない曲面部が上面に形成され、海底、干潟、沼湖、河川等の底に溜まった腐泥土よりなる着底部の上面に設置可能になるか、または、該着底部の上方近傍に設置可能な拡大頭体部と、該拡大頭体部の下方に設けられて前記着底部内に埋設可能な筒状をなした脚体部と、で形成され、
前記拡大頭体部には、内部の略中央に流水が往復可能に流通されて前記ブロック主体内に導水されるか、または、前記ブロック主体から排水される１本の主幹通路部が縦状に前記脚体部に貫通して形成され、
前記拡大頭体部、および前記脚体部には、複数個の分岐通路部が、前記主幹通路部の周囲に放射状に前記主幹通路部に連通して設けられた、
ことを特徴とする。
【００１３】
また、本発明の請求項２に記載の発明は、請求項１において、前記拡大頭体部は、その外形が略楕円球状に形成されるか、または略半球状に形成されたことを特徴とする。
【００１４】
また、本発明の請求項３に記載の発明は、請求項１、または、請求項２の何れかにおいて、前記脚体部が、所望横断面形をなし、且つ所望長さの筒状に形成され、前記脚体部の下端に略半球状、または、縦断面が略円錐形をなす係留拡大部が形成されるか、もしくは、前記脚体部の中間部外周、および下方部外周に略環状をなした係留拡大部が形成されたことを特徴とする。
【００１５】
また、本発明の請求項４に記載の発明は、請求項１−３の何れかにおいて、前記分岐通路部が、前記拡大頭体部においては、外部に露出する一端よりも前記主幹通路部に連通する他端が下り勾配をつけて低部位に設けられ、また、前記脚体部においては、外部に露出する一端よりも前記主幹通路部に連通する他端が上り勾配をつけて高部位に設けられたことを特徴とする。
【００１６】
また、本発明の請求項５に記載の発明は、コンクリート、セラミック等の多孔質の素材により流水に対する抵抗が少ない曲面部が上面に形成された拡大頭体部の内部に、流水が往復可能に流通されて導水されるか、または排水される１本の主幹通路部が縦状に脚体部を貫通して形成され、前記拡大頭体部、および前記脚体部には、複数個の分岐通路部が、前記主幹通路部の周囲に放射状に該主幹通路部に連通して設けられたブロック主体の前記脚体部を海底、干潟、沼湖、河川等の底に溜まった腐泥土よりなる着底部に埋設し、前記拡大頭体部が前記着底部の上面に設置可能にされるか、または、前記拡大頭体部が該着底部の上方近傍に設置可能に敷設する腐泥土改善化多孔質ブロックの敷設工法において、高圧水を前記主幹通路部内に注入することによりその高水圧を前記主幹通路部、および前記分岐通路部の埋込み側の外部に噴出することにより前記着底部を掘削して前記ブロック主体を所望位置に敷設することを特徴とする。
【発明の効果】
【００１７】
本発明の請求項１に記載の発明によれば、コンクリート、セラミック等の多孔質の素材によりブロック主体が形成され、該ブロック主体は、外形が流水に対する抵抗が少ない曲面部が上面に形成され、海底、干潟、沼湖、河川等の底に溜まった腐泥土よりなる着底部の上面に設置可能になるか、または、該着底部の上方近傍に設置可能な拡大頭体部と、該拡大頭体部の下方に設けられて前記着底部内に埋設可能な筒状をなした脚体部と、で形成され、前記拡大頭体部には、内部の略中央に流水が往復可能に流通されて前記ブロック主体内に導水されるか、または、前記ブロック主体から排水される１本の主幹通路部が縦状に前記脚体部に貫通して形成され、前記拡大頭体部、および前記脚体部には、複数個の分岐通路部が、前記主幹通路部の周囲に放射状に前記主幹通路部に連通して設けられたので、拡大頭部に設けた脚体部を海底等の着底部に埋設させるだけで、作業効率良く、小規模の工事にて施工が効率良く行えるとともに、ブロック本体の固定も何等の固定部品を必要とすることなく容易かつ確実に行える。このように、ブロック主体を海底等の着底部に対して適宜個数設置するだけで、ブロック主体の拡大頭体部の内部中央に脚体部に貫通して設けた主幹通路部と、拡大頭体部、および脚体部に主幹通路部の周囲に放射状に設けた複数個の分岐通路部に対して流水が導入、又は排出されることにより、腐泥土の改善が充分かつ確実に行える。また、維持管理も特許文献１に記載の上記従来の自然融合腐泥土改善化コンクリートブロックのように、重金属吸着塊の吸着性にて汚濁水の有機物、窒素化合物、溶存リン、油脂類等を吸着濾過させるものではなく、重金属吸着塊自体の吸着性が劣った場合に、維持管理面において、重金属吸着塊自体の吸着性を回復させるために、重金属吸着塊自体を新たなものと交換しなければならないものとは異なり、交換作業を必要としないで済み、過大に資材、設備がかからず、製作コスト、工事費は少なく、資材費も経済的に有利である。
【００１８】
また、本発明の請求項２に記載の発明によれば、前記拡大頭体部は、その外形が略楕円球状に形成されるか、または略半球状に形成されるので、着底部の上面に設置可能になるか、または、該着底部の上方近傍に設置可能な拡大頭体部は、流水に対する抵抗が少ない
。そして、ブロック主体の拡大頭体部の内部中央に脚体部に貫通して設けた主幹通路部と、拡大頭体部、および脚体部に主幹通路部の周囲に放射状に設けた複数個の分岐通路部に対して流水が効率的に導入、又は排出されることにより、腐泥土の改善が充分かつ確実に行える。
【００１９】
また、本発明の請求項３に記載の発明によれば、前記脚体部が、所望横断面形をなし、且つ所望長さの筒状に形成され、前記脚体部の下端に略半球状、または、縦断面が略円錐形をなす係留拡大部が形成されるか、もしくは、前記脚体部の中間部外周、および下方部外周に略環状をなした係留拡大部が形成されたので、脚体部を着底部内に埋設させ、着底部の上面に拡大頭体部を設置するか、または、該着底部の上方近傍に拡大頭体部を設置することにより、ブロック主体を迅速かつ確実に着底部に敷設できる。そして、脚体部の下端に略半球状、または、縦断面が略円錐形をなす係留拡大部が形成されるか、もしくは、脚体部の中間部外周に略環状をなした係留拡大部が形成されたので、これらの係留拡大部が着底部に係留されることによりブロック主体が傾倒されるのが防止され、安定化される。
【００２０】
また、本発明の請求項４に記載の発明によれば、前記分岐通路部が、前記拡大頭体部においては、外部に露出する一端よりも前記主幹通路部に連通する他端が下り勾配をつけて低部位に設けられ、また、前記脚体部においては、外部に露出する一端よりも前記主幹通路部に連通する他端が上り勾配をつけて高部位に設けられたので、ブロック主体の拡大頭体部の内部中央に脚体部に貫通して設けた主幹通路部と、拡大頭体部、および脚体部に主幹通路部の周囲に放射状に設けた複数個の分岐通路部に対して流水が効率的に導入、又は排出されることにより、着底部に溜まった腐泥土の改善が充分かつ確実に行える。
【００２１】
また、本発明の請求項５に記載の発明によれば、コンクリート、セラミック等の多孔質の素材により流水に対する抵抗が少ない曲面部が上面に形成された拡大頭体部の内部に、流水が往復可能に流通されて導水されるか、または排水される１本の主幹通路部が縦状に脚体部を貫通して形成され、前記拡大頭体部、および前記脚体部には、複数個の分岐通路部が、前記主幹通路部の周囲に放射状に該主幹通路部に連通して設けられたブロック主体の前記脚体部を海底、干潟、沼湖、河川等の底に溜まった腐泥土よりなる着底部に埋設し、前記拡大頭体部が前記着底部の上面に設置可能にされるか、または、前記拡大頭体部が該着底部の上方近傍に設置可能に敷設する腐泥土改善化多孔質ブロックの敷設工法において、高圧水を前記主幹通路部内に注入することによりその高水圧を前記主幹通路部、および前記分岐通路部の埋込み側の外部に噴出することにより前記着底部を掘削して前記ブロック主体を所望位置に敷設するので、ブロック主体を着底部に敷設するのには、例えば高圧噴射ノズルを用いて高圧水を主幹通路部内に勢い良く注入することによりその高水圧を前記主幹通路部、および前記分岐通路部の埋込み側の外部に噴出することにより前記着底部を掘削して前記ブロック主体は自重により脚体部が着底部に埋め込まれて所望位置に敷設することができる。
【図面の簡単な説明】
【００２２】
【図１】図１は本発明の腐泥土改善化多孔質ブロックの実施形態１を示す敷設状態の断面図である。
【図２】図２は同じくブロック主体の斜視図である。
【図３】図３は同じくブロック主体の断面図である。
【図４】図４は同じくブロック主体を敷設する状態の断面図である。
【図５】図５は同じく本発明の腐泥土改善化多孔質ブロックの実施形態２を示す斜視図である。
【図６】図６は同じく断面図である。
【図７】図７は同じく本発明の腐泥土改善化多孔質ブロックの実施形態３を示す斜視図である。
【図８】図８は同じく断面図である。
【図９】図９は同じく本発明の腐泥土改善化多孔質ブロックの実施形態４を示す斜視図である。
【図１０】図１０は同じく断面図である。
【発明を実施するための形態】
【００２３】
以下、図面に従って本発明の実施の最良の形態により、本発明の詳細を説明する。
【００２４】
＜実施形態１＞
図１は本発明の腐泥土改善化多孔質ブロックの実施形態１を示す敷設状態の断面図、図２は同じくブロック主体の斜視図、図３は同じくブロック主体の断面図、図４は同じくブロック主体を敷設する状態の断面図である。
【００２５】
本実施形態１は、コンクリート、セラミック等の多孔質の素材によりブロック主体１が形成され、該ブロック主体１は、外形が流水に対する抵抗が少ない曲面部２が上面に形成され、海底、干潟、沼湖、河川等、本実施形態１では干潟の底に溜まった腐泥土よりなる着底部３の上面に設置可能になるか、または、該着底部３の上方近傍に設置可能な拡大頭体部４と、該拡大頭体部４の下方に設けられて前記着底部３内に埋設可能な筒状をなした脚体部５と、で形成され、前記拡大頭体部４には、内部の略中央に流水が往復可能に流通されて前記ブロック主体１内に導水されるか、または、前記ブロック主体１から排水される１本の主幹通路部６が縦状に前記脚体部５に貫通して形成され、前記拡大頭体部４、および前記脚体部５には、複数個の分岐通路部７,７′が、前記主幹通路部６の周囲に放射状に前記主幹通路部６に連通して設けられた。
【００２６】
前記ブロック主体１の大きさは、本実施形態１では、前記拡大頭体部４の長軸ＩＡの長さＬ１は２３０ｍｍ、短軸ＩＢの長さＬ２は約１８０ｍｍであり、前記脚体部５の直径φ１は１３０ｍｍ、後記係留拡大部８の高さｈ１は約１２０ｍｍに形成されるが、これは少数人により容易に可搬可能な大きさとした例示であり、ブロック主体１の大きさは自由に設定される。前記主幹通路部６、および分岐通路部７,７′の直径φ１，φ２は、本実施形態１では、それぞれ４０ｍｍに形成されているが、これは例示であり、その増減変更は自由に行える。なお、分岐通路部７,７′の設置個数も図示するものに限らず、自由に設定される。
【００２７】
また、前記ブロック主体１を形成するための多孔質のコンクリートは、例えば結合材としてのセメントを主材を９５〜６２重量％として、骨材には７号砕石が５〜２５重量％、また、６号砕石が５〜１３重量％のほか、少量の人工ゼオライトに、水を混練したものにより成形される。そして、ブロック主体１の圧縮強度は１８Ｎ／ｍｍ２、空隙率は２５〜３０％に形成されるが、これらの数値の増減変更は自由に行える。
【００２８】
前記拡大頭体部４は、本実施形態１では、図１、および図２に示すように、その外形が略楕円球状に形成される。
【００２９】
前記脚体部５が、所望横断面形をなし、且つ所望長さＬの筒状、本実施形態１では円筒状に形成され、前記脚体部５の下端に縦断面が略円錐形をなす係留拡大部８が形成される。
【００３０】
前記分岐通路部７が、前記拡大頭体部４においては、外部に露出する一端７ａよりも前記主幹通路部６に連通する他端７ｂが下り勾配αをつけて低部位に設けられ、また、前記脚体部５においては、分岐通路部７′が外部に露出する一端７′ａよりも前記主幹通路部６に連通する他端７′ｂが上り勾配βをつけて高部位に設けられている。本実施形態１においては、前記下り勾配αは３５°であり、また、前記上り勾配βは３０°に形成される。これらの下り勾配α、および、前記上り勾配βは例示であり、その増減変更は自由に行える。
【００３１】
本発明の腐泥土改善化コンクリートブロックの実施形態１は以上の構成からなり、多孔質のコンクリートにより流水Ｗに対する抵抗が少ない曲面部２が上面に形成された拡大頭体部４の内部に、流水Ｗが往復可能に流通されて導水されるか、または排水される１本の主幹通路部６が縦状に脚体部５を貫通して形成され、前記拡大頭体部４、および前記脚体部５には、複数個の分岐通路部７,７′が、前記主幹通路部６の周囲に放射状に該主幹通路部６に連通したブロック主体１を有する本実施形態１の腐泥土改善化多孔質ブロックを例えば干潟の底に溜まった腐泥土よりなる着底部３に敷設し、固定する場合を代表例として説明すると、図４に示すように例えば高圧噴射ノズルＫを用いて高圧水Ｗ１を主幹通路部６内に勢い良く注入することによりその高水圧を前記主幹通路部６、および前記分岐通路部７′の埋込み側の外部に噴出することにより前記着底部３を掘削して行くと、前記ブロック主体１は自重により沈降して着底部３の所望位置に敷設される。そして、ブロック主体１の脚体部５は着底部３内に埋設され、拡大頭体部４が前記着底部３の上面に設置可能にされるか、または、前記拡大頭体部４が該着底部３の上方近傍に設置される。なお、ブロック主体１の着底部３に対する上記敷設方法は好適例を説明したものであり、例えばクレーンやパワー・シャベル等の重機を用いて着底部３に掘削した穴（図には示さない）内にブロック主体１の脚体部５を埋め込むことによりブロック主体１を敷設することもできる。こうして、適宜個数のブロック主体１を改善すべき干潟の着底部３に、単位面積当たりに所望個数を敷設する。
【００３２】
このように、高圧水Ｗ１を主幹通路部６内に勢い良く注入することによりその高水圧を前記主幹通路部６、および前記分岐通路部７′から埋込み側の外部に噴出するだけの簡単な取り扱い操作により、ブロック主体１の脚体部５は着底部３内に埋め込まれて脚体部５の下端に設けられた係留拡大部８が着底部３内に係留されることによりブロック主体１が傾倒されるのが防止され、安定化される。そして、クレーン等の重機を用いることなく、かつ、多くの時間および手間を必要とすることなく、作業効率良く、小規模の工事にてブロック主体１の敷設施工が効率良く行えるとともに、ブロック主体１の固定も特許文献１に記載の自然融合腐泥土改善化コンクリートブロックを固定する場合のように、杭等の何等の固定部品を必要せず、しかも、重ね積みをすることなく容易かつ確実に行える。
【００３３】
こうして、干潟の底に溜まった腐泥土よりなる着底部３に敷設された本実施形態１の腐泥土改善化多孔質ブロックは、潮が満ちたり、潮がひいたり、さらには、海水中にブロック主体１が陥没している場合に、着底部３内に埋設された脚体部５の上部に着底部３の上面に設置可能に設けられているか、または、該着底部３の上方近傍に設置可能に設けられている楕円球状の拡大頭体部４には、内部中央に脚体部５に貫通して主幹通路部６が設けられ、しかもこの拡大頭体部４、および脚体部５には主幹通路部６の周囲に放射状に複数個の分岐通路部７,７′が設けられているので、潮が満ちたり、または、海水中にブロック主体１が陥没している場合に、潮流や波浪により形成される流水Ｗは拡大頭体部４に縦に貫通して設けられた主幹通路部６、およびこの拡大頭体部４に主幹通路部６の周囲に放射状に設けられた複数個の分岐通路部７からブロック主体１内に効率的に導入され、しかも、主幹通路部６の下方に一端７′ｂが連通して設けられ、脚体部５に他端７′ａが臨まれるように設けられた分岐通路部７′から着底部３内に排出される。
【００３４】
この際、楕円球状の拡大頭体部４は、曲面部２が上面に形成されているので、少ない抵抗であり、流速が速められた流体Ｗが、拡大頭体部４に縦に貫通して設けられた主幹通路部６、およびこの拡大頭体部４に主幹通路部６の周囲に放射状に設けられた複数個の分岐通路部７からブロック主体１内に勢い良く導入され、主幹通路部６の下方に一端７′ｂが連通して設けられ、脚体部５に他端７′ａが臨まれるように設けられた分岐通路部７′から着底部３内に勢い良く排出される等することにより、主幹通路部６、この主幹通路部６の周囲に放射状に設けられた複数個の分岐通路部７,７′内においてブロック主体１の外部を流れる流水Ｗの移動や勢いに伴い上昇、または降下が繰り返され、充分に撹拌が行われる。また、拡大頭体部４は、楕円球状で上面は曲面部２が形成されているので、漁業の網が引っ掛かる等の支障はなく、しかも、船が航行する場合に船底を損壊する等の不都合はない。さらには、エイ等の食害や魚体を傷付けるおそれはない。
【００３５】
そして、前記分岐通路部７が、前記拡大頭体部４においては、外部に露出する一端７ａよりも前記主幹通路部６に連通する他端７ｂが下り勾配αをつけて低部位に設けられ、また、前記脚体部５においては、分岐通路部７′は外部に露出する一端７′ａよりも前記主幹通路部６に連通する他端７′ｂが上り勾配βをつけて高部位に設けられているので、流水Ｗはブロック主体１の拡大頭体部４の内部中央に脚体部５に貫通して設けた主幹通路部６と、拡大頭体部４に主幹通路部６を中心に放射状に複数個が設けられた分岐通路部７から勢い良く導入されるとともに、脚体部５に主幹通路部６の周囲に放射状に設けた複数個の分岐通路部７′から勢い良く排出される構造になっている。
【００３６】
そして、潮がひく場合には、着底部３内に脚体部５が埋設されているブロック主体部１の中央に縦に貫通して設けられた主幹通路部６の下端６ｂ、およびこの主幹通路部６の周囲に放射状に連通して設けられた複数個の分岐通路部７′内に溜まっている流水Ｗは、潮流がひくのに合わせて拡大頭体部４の中央に縦に貫通して設けられた主幹通路部６の上端部６ａ、およびこの主幹通路部６の周囲に放射状に連通して設けられた複数個の分岐通路部７から外部へ排出される。
【００３７】
このようにして、着底部３内に脚体部５が埋設されているブロック主体部１の中央に縦に貫通して設けられた主幹通路部６、およびこの主幹通路部６の周囲に、拡大頭体部４、および脚体部５において、放射状に連通して設けられた複数個の分岐通路部７,７′に対して流水Ｗが、繰り返して着底部３内に導入されたり、または、拡大頭体部４の外部に排出されるという動作が繰り返して行われるのと、底生生物が主幹通路部６、およびこの主幹通路部６の周囲に、放射状に連通して設けられた複数個の分岐通路部７,７′内に出入りされることにより、腐泥化し嫌気状態になっている着底部３内に新鮮な海水や空気が供給され、着底部３の地下に好気圏域を造り出し、淀みのない流れを生じ、微生物群集の活性により有機物の分解を促進し、底質環境の回復と、保全をはかり、腐泥土の改善が充分かつ確実に行えるとともに、水質を浄化し、生物生息環境の場の機能性がはかれる。
【００３８】
そして、本実施形態１の腐泥土改善化多孔質ブロックでは、前述のように着底部３内に脚体部５が埋設されて敷設されているブロック主体部１の中央に縦に貫通して設けられた主幹通路部６、およびこの主幹通路部６の周囲に、拡大頭体部４、および脚体部５において、放射状に連通して設けられた複数個の分岐通路部７,７′に対して流水Ｗが、繰り返して着底部３内に導入されたり、または、拡大頭体部４の外部に排出されるという動作が繰り返されることにより、着底部３に溜まる腐泥土の改善と、水質の浄化とが行えるので、特許文献１に記載の従来の自然融合腐泥土改善化コンクリートブロックのように、維持管理面において、重金属吸着塊自体の吸着性を回復させるために、重金属吸着塊自体を新たなものと交換しなければならないというものとは異なり、交換作業を必要としないで済み、過大に資材、設備がかからず、製作コスト、工事費は安価になり、資材費も経済的に有利である。
【００３９】
また、前述のように、着底部３の上面に設置可能に設けられているか、または、該着底部３の上方近傍に設置可能に設けられている楕円球状の拡大頭体部４には、内部中央に脚体部５に貫通して主幹通路部６が設けられ、しかもこの拡大頭体部４には主幹通路部６の周囲に放射状に複数個の分岐通路部７が設けられているので、潮が満ちてる時や潮が完全に引いていない状態では魚類、貝類、甲殻類の人工巣穴ブロックとして使用でき、また、前述のように潮がひいた干潟では、小さな生物が鳥等の捕食者に狙われた時の避難場所や住処になる。
【００４０】
そして、ブロック主体１は、多孔質のコンクリートにより成形されているので、ブロック主体１の敷設初期段階においては、着底部３内に埋め込まれた脚体部５は、海水の浸透に伴い、嫌気性細菌（脱窒菌）は硝酸呼吸を行って酸化分解をするが、一連の海水や空気の出入りで酸素量の取り込みが多くなると、ブロック主体１の空洞壁の多孔質空隙部に接する酸素や有機物を微生物群集の活性化により分解されて行く。
【００４１】
そして、多孔質のコンクリートにより成形されたブロック主体１は、多孔質の小さい空隙特性を活かし、表面や空隙間に棲息するバクテリアや微生物、原生動物、多毛類、甲殻類の幼生等が活性化して、水質の浄化や有機物の分解が促進され、さらに食物連鎖に繋がる。
【００４２】
また、ブロック主体１は、多孔質の大きな空隙部により、海水が出入りする浸透が煩瑣に行われ、次第に好気圏域が拡大することにより着底部３の腐泥化した底質域を好気化して改善を行い、底生生物の棲息空間を回復させ、生態系の保全に寄与する。
【００４３】
また、本実施形態１において、多孔質のコンクリートにて形成されるブロック主体１は、セメントを主材として、骨材に砕石が使用されるほか、少量の人工ゼオライトに、水を混練して成形されるので、干潟等に敷設し、長期に使用されても有害にはならない。また、このように、ブロック主体１を多孔質によるコンクリートにより形成したのは、代表的な例示であり、これに限るものではなく、このほかに、セラミックによる多孔質な素材によりブロック主体１を形成した場合にも、本実施形態１と同様の作用があり、本発明の範囲は逸脱されない。
【００４４】
＜実施形態２＞
図５、および図６に示すものは本発明の腐泥土改善化多孔質ブロックの実施形態２である。上記実施形態１では、拡大頭体部４は、図１、および図２に示すように、その外形が略楕円球状に形成され、脚体部５の下方には円錐形の係留拡大部８が形成されているが、本実施形態２では脚体部５の上端に形成される拡大頭体部４、および脚体部５の下端に形成される係留拡大部８はともに略半球状に形成されることにより拡大頭体部４の流水Ｗに対する抵抗が少なく、拡大頭体部４の内部中央に脚体部５に貫通して設けた主幹通路部６と、拡大頭体部４、および脚体部５に主幹通路部６の周囲に放射状に設けた複数個の分岐通路部７,７′に対して流水Ｗが効率的に導入されたり、又は排出されることにより、腐泥土の改善が充分かつ確実に行うようにした点が前記実施形態１とは異なる構成である。そして、本実施形態２においても、前記実施形態１と同様の作用・効果を奏する。
【００４５】
＜実施形態３＞
図７、および図８に示すものは本発明の腐泥土改善化多孔質ブロックの実施形態３である。上記実施形態１では、脚体部５の下方に円錐状の係留拡大部８が形成されているが、本実施形態３では脚体部５の中間部外周、および脚体部５の下方外周に略環状をなした係留拡大部８を形成している点が前記実施形態１、および前記実施形態２とは異なる構成である。そして、本実施形態３においては、係留拡大部８の増設により着底部３に対する係留を確実になすのと、高さを違えて分岐通路部７,７′の設置数を増設することにより広範囲での腐泥土の改善と、水質の浄化とを効率的に行うようにした点が前記実施形態１、および前記実施形態２とは異なるほかは、前記実施形態１、および前記実施形態２と同様の作用・効果を奏する。なお、図示する本実施形態３の係留拡大部８、分岐通路部７,７′の設置個数は例示であり、その増減変更は自由に行える。
【００４６】
＜実施形態４＞
さらに、図９、および図１０に示すものは本発明の腐泥土改善化多孔質ブロックの実施形態４である。上記実施形態１では、楕円球状の拡大頭体部４の下面に１本の脚体部５を形成するとともに、円錐状の係留拡大部８を形成しているが、この実施形態４では下方が外周側に配向された４本の筒状の脚体部５を分岐して形成された点が前記実施形態１と異なる構成であるほかは、前記実施形態１と同様の構成、作用である。
【００４７】
なお、本発明の腐泥土改善化多孔質ブロックは、上記実施形態１、実施形態２、実施形態３においては、干潟の着底部３に対してブロック主体１を敷設することにより着底部３に溜まっている腐泥土と、水質の浄化とを行うようにしているが、本発明の腐泥土改善化多孔質ブロックは干潟に敷設するのに限ることなく、そのほか例えば海底、沼湖、河川等の着底部３にブロック主体１を敷設することにより着底部３に溜まった腐泥土と、水質とを浄化し、改善をはかることも本発明の適用範囲である。
【産業上の利用可能性】
【００４８】
本発明は、作業効率良く、小規模の工事にて施工が効率良く行えるとともに、ブロック本体の固定も海底等の着底部に対して容易かつ確実に行え、以てブロックを海底等の着底部に対して設置するだけで腐泥土の改善が充分かつ確実に行え、維持管理も何等の交換作業を必要とせずに、製作コスト、工事費は少なく、資材も経済的に有利な用途・機能に適する。
【符号の説明】
【００４９】
１    ブロック主体 
２     曲面部
３     着座部
４     拡大頭体部
５     脚体部
６     主幹通路部
７     分岐通路部
７′   分岐通路部    
α     下り勾配
β     上り勾配
【図１】
2010163783.tif 000003
【図２】
2010163783.tif 000004
【図３】
2010163783.tif 000005
【図４】
2010163783.tif 000006
【図５】
2010163783.tif 000007
【図６】
2010163783.tif 000008
【図７】
2010163783.tif 000009
【図８】
2010163783.tif 000010
【図９】
2010163783.tif 000011
【図１０】
2010163783.tif 000012